【手続補正書】
【提出日】平成21年9月17日(2009.9.17)
【手続補正１】
【補正対象書類名】特許請求の範囲
【補正対象項目名】全文
【補正方法】変更
【補正の内容】
【特許請求の範囲】
【請求項１】
複数の絵素を有する表示領域を有し、
前記絵素は、ＣＩＥ−ＸＹ色度図のｘが０．５０以上の領域に座標を有する発光素子を具備する第１の画素及び第２の画素と、前記ＣＩＥ−ＸＹ色度図のｙが０．５５以上の領域に座標を有する発光素子を具備する第３の画素及び第４の画素と、前記ＣＩＥ−ＸＹ色度図のｘが０．２０以下、ｙが０．２５以下の領域に座標を有する発光素子を具備する第５の画素及び第６の画素と、を有し、
前記第１の画素に設けられた発光素子と前記第２の画素に設けられた発光素子は互いに異なる発光スペクトルを有し、
前記第３の画素に設けられた発光素子と前記第４の画素に設けられた発光素子は互いに異なる発光スペクトルを有し、
前記第５の画素に設けられた発光素子と前記第６の画素に設けられた発光素子は、互いに異なる発光スペクトルを有することを特徴とする表示装置。
【請求項２】
複数の絵素を有する表示領域を有し、
前記絵素は、ＣＩＥ−ＸＹ色度図のｘが０．５０以上の領域に座標を有する発光素子を具備する第１の画素及び第２の画素と、前記ＣＩＥ−ＸＹ色度図のｙが０．５５以上の領域に座標を有する発光素子を具備する第３の画素及び第４の画素と、前記ＣＩＥ−ＸＹ色度図のｘが０．２０以下、ｙが０．２５以下の領域に座標を有する発光素子を具備する第５の画素及び第６の画素と、を有し、
前記第１の画素に設けられた発光素子と前記第２の画素に設けられた発光素子は、前記ＣＩＥ−ＸＹ色度図において、互いに座標が異なる色で発光し、
前記第３の画素に設けられた発光素子と前記第４の画素に設けられた発光素子は、前記ＣＩＥ−ＸＹ色度図において、互いに座標が異なる色で発光し、
前記第５の画素に設けられた発光素子と前記第６の画素に設けられた発光素子は、前記ＣＩＥ−ＸＹ色度図において、互いに座標が異なる色で発光することを特徴とする表示装置。
【請求項３】
複数の絵素を有する表示領域を有し、
前記絵素は、ＣＩＥ−ＸＹ色度図のｘが０．５０以上の領域に座標を有する発光素子を具備する第１の画素及び第２の画素と、前記ＣＩＥ−ＸＹ色度図のｙが０．５５以上の領域に座標を有する発光素子を具備する第３の画素及び第４の画素と、前記ＣＩＥ−ＸＹ色度図のｘが０．２０以下、ｙが０．２５以下の領域に座標を有する発光素子を具備する第５の画素及び第６の画素と、を有し、
前記第１の画素に設けられた発光素子と前記第２の画素に設けられた発光素子は、異なる材料で構成されており、且つ互いに異なる発光スペクトルを有し、
前記第３の画素に設けられた発光素子と前記第４の画素に設けられた発光素子は、異なる材料で構成されており、且つ互いに異なる発光スペクトルを有し、
前記第５の画素に設けられた発光素子と前記第６の画素に設けられた発光素子は、異なる材料で構成されており、且つ互いに異なる発光スペクトルを有することを特徴とする表示装置。
【請求項４】
複数の絵素を有する表示領域を有し、
前記絵素は、ＣＩＥ−ＸＹ色度図のｘが０．５０以上の領域に座標を有する発光素子を具備する第１の画素及び第２の画素と、前記ＣＩＥ−ＸＹ色度図のｙが０．５５以上の領域に座標を有する発光素子を具備する第３の画素及び第４の画素と、前記ＣＩＥ−ＸＹ色度図のｘが０．２０以下、ｙが０．２５以下の領域に座標を有する発光素子を具備する第５の画素及び第６の画素と、を有し、
前記第１の画素に設けられた発光素子と前記第２の画素に設けられた発光素子は、互いに膜厚が異なっており、且つ互いに異なる発光スペクトルを有し、
前記第３の画素に設けられた発光素子と前記第４の画素に設けられた発光素子は、互いに膜厚が異なっており、且つ互いに異なる発光スペクトルを有し、
前記第５の画素に設けられた発光素子と前記第６の画素に設けられた発光素子は、互いに膜厚が異なっており、且つ互いに異なる発光スペクトルを有することを特徴とする表示装置。
【請求項５】
複数の絵素を有する表示領域を有し、
前記絵素は、ＣＩＥ−ＸＹ色度図のｘが０．５０以上の領域に座標を有する発光素子を具備する第１の画素及び第２の画素と、前記ＣＩＥ−ＸＹ色度図のｙが０．５５以上の領域に座標を有する発光素子を具備する第３の画素及び第４の画素と、前記ＣＩＥ−ＸＹ色度図のｘが０．２０以下、ｙが０．２５以下の領域に座標を有する発光素子を具備する第５の画素及び第６の画素と、を有し、
前記第１の画素、前記第２の画素は、互いに透過特性が異なるカラーフィルターを具備し、且つ互いに異なる発光スペクトルの光を透過し、
前記第３の画素、前記第４の画素は、互いに透過特性が異なるカラーフィルターを具備し、且つ互いに異なる発光スペクトルの光を透過し
前記第５の画素、前記第６の画素は、互いに透過特性が異なるカラーフィルターを具備し、且つ互いに異なる発光スペクトルの光を透過することを特徴とする表示装置。
【請求項６】
複数の絵素を有する表示領域を有し、
前記絵素は、ＣＩＥ−ＸＹ色度図のｘが０．５０以上の領域に座標を有する発光素子を具備する第１の画素及び第２の画素と、前記ＣＩＥ−ＸＹ色度図のｙが０．５５以上の領域に座標を有する発光素子を具備する第３の画素及び第４の画素と、前記ＣＩＥ−ＸＹ色度図のｘが０．２０以下、ｙが０．２５以下の領域に座標を有する発光素子を具備する第５の画素及び第６の画素と、を有し、
前記第１の画素に設けられた発光素子と前記第２の画素に設けられた発光素子は、異なる材料で構成されており、且つ前記ＣＩＥ−ＸＹ色度図において、互いに座標が異なる色で発光し、
前記第３の画素に設けられた発光素子と前記第４の画素に設けられた発光素子は、異なる材料で構成されており、且つ前記ＣＩＥ−ＸＹ色度図において、互いに座標が異なる色で発光し、
前記第５の画素に設けられた発光素子と前記第６の画素に設けられた発光素子は、異なる材料で構成されており、且つ前記ＣＩＥ−ＸＹ色度図において、互いに座標が異なる色で発光することを特徴とする表示装置。
【請求項７】
複数の絵素を有する表示領域を有し、
前記絵素は、ＣＩＥ−ＸＹ色度図のｘが０．５０以上の領域に座標を有する発光素子を具備する第１の画素及び第２の画素と、前記ＣＩＥ−ＸＹ色度図のｙが０．５５以上の領域に座標を有する発光素子を具備する第３の画素及び第４の画素と、前記ＣＩＥ−ＸＹ色度図のｘが０．２０以下、ｙが０．２５以下の領域に座標を有する発光素子を具備する第５の画素及び第６の画素と、を有し、
前記第１の画素に設けられた発光素子と前記第２の画素に設けられた発光素子は、互いに膜厚が異なっており、且つ前記ＣＩＥ−ＸＹ色度図において、互いに座標が異なる色で発光し、
前記第３の画素に設けられた発光素子と前記第４の画素に設けられた発光素子は、互いに膜厚が異なっており、且つ前記ＣＩＥ−ＸＹ色度図において、互いに座標が異なる色で発光し、
前記第５の画素に設けられた発光素子と前記第６の画素に設けられた発光素子は、互いに膜厚が異なっており、且つ前記ＣＩＥ−ＸＹ色度図において、互いに座標が異なる色で発光することを特徴とする表示装置。
【請求項８】
複数の絵素を有する表示領域を有し、
前記絵素は、ＣＩＥ−ＸＹ色度図のｘが０．５０以上の領域に座標を有する発光素子を具備する第１の画素及び第２の画素と、前記ＣＩＥ−ＸＹ色度図のｙが０．５５以上の領域に座標を有する発光素子を具備する第３の画素及び第４の画素と、前記ＣＩＥ−ＸＹ色度図のｘが０．２０以下、ｙが０．２５以下の領域に座標を有する発光素子を具備する第５の画素及び第６の画素と、を有し、
前記第１の画素、前記第２の画素は、互いに透過特性が異なるカラーフィルターを具備し、且つ当該カラーフィルターを透過した光は、前記ＣＩＥ−ＸＹ色度図において互いに座標が異なる色であり、
前記第３の画素、前記第４の画素は、互いに透過特性が異なるカラーフィルターを具備し、且つ当該カラーフィルターを透過した光は、前記ＣＩＥ−ＸＹ色度図において互いに座標が異なる色であり、
前記第５の画素、前記第６の画素は、互いに透過特性が異なるカラーフィルターを具備し、且つ当該カラーフィルターを透過した光は、前記ＣＩＥ−ＸＹ色度図において互いに座標が異なる色であることを特徴とする表示装置。
【請求項９】
請求項１乃至請求項８のいずれか一項において、
前記第１の画素が具備する発光素子、前記第２の画素が具備する発光素子のいずれかは、前記ＣＩＥ−ＸＹ色度図のｘが０．６以上、ｙが０．３５以下の領域に座標を有し、
前記第３の画素が具備する発光素子、前記第４の画素が具備する発光素子のいずれかは、前記ＣＩＥ−ＸＹ色度図のｘが０．３以下、ｙが０．６以上の領域に座標を有し、
前記第５の画素が具備する発光素子、前記第６の画素が具備する発光素子のいずれかは、前記ＣＩＥ−ＸＹ色度図のｘが０．１５以下、ｙが０．２以下の領域に座標を有することを特徴とする表示装置。
【請求項１０】
請求項１乃至請求項９のいずれか一項において、
前記絵素は、白色を発光する発光素子を具備することを特徴とする表示装置。
【請求項１１】
請求項１乃至請求項１０のいずれか一項において、
前記第１の画素及び前記第２の画素、前記第３の画素及び前記第４の画素、並びに前記第５の画素及び前記第６の画素は、互いに異なる面積の発光領域を具備することを特徴とする表示装置。
【請求項１２】
請求項１乃至請求項１１のいずれか一項において、
前記発光素子は、エレクトロルミネッセンス素子であることを特徴とする表示装置。
【請求項１３】
請求項１乃至請求項１２のいずれか一項に記載の表示装置を具備することを特徴とする電子機器。